(57)【要約】【課題】副作用情報に対する初期症状を含めた服薬指導が可能な服薬指導支援システム並びに服薬指導支援プログラム及び当該服薬指導支援プログラムを記録したコンピュータ読み取り可能な記録媒体を提供する。【解決手段】処方内容入力手段Ｐ１と、副作用情報読出手段Ｐ２と、副作用情報チェック手段Ｐ３と、副作用情報出力手段Ｐ４とを含む服薬指導支援システムＡにおいて、初期症状読出手段Ｐ５と、初期症状検索手段Ｐ６と、初期症状出力手段Ｐ７と、追加更新用薬剤副作用情報入力手段Ｐ９と、追加更新用初期症状入力手段Ｐ１０と、初期症状データベース追加更新手段Ｐ１１とさらに含む。【選択図】  図７
2004290377.tif 000002
【特許請求の範囲】
【請求項１】
患者に対して処方された処方箋の処方内容を入力する処方内容入力手段と、
薬剤情報と当該薬剤の副作用及び重複投与並びに相互作用に関する副作用情報とを含む情報を記録した医薬品データベースの薬剤情報及び当該薬剤の副作用情報を読み出す副作用情報読出手段と、
前記副作用情報読出手段により前記医薬品データベースから薬剤情報及び当該薬剤の副作用情報を読み出すとともに、該副作用情報読出手段で読み出された薬剤情報及び当該薬剤の副作用情報、並びに前記処方内容入力手段で入力された処方内容に基づいて薬剤の副作用及び重複投与並びに相互作用をチェックする副作用情報チェック手段と、
前記処方内容入力手段で入力された処方内容に対する、前記副作用情報チェック手段でチェックされた薬剤の副作用及び重複投与並びに相互作用に関する副作用情報を出力する副作用情報出力手段と
を含む服薬指導支援システムにおいて、
薬剤情報と当該薬剤に対する副作用情報と当該副作用情報に対する初期症状情報とを含む情報を記録した初期症状データベースの薬剤情報と副作用情報と初期症状情報とを読み出す初期症状読出手段と、
前記初期症状読出手段により前記初期症状データベースから薬剤情報と副作用情報と初期症状情報とを読み出すとともに、該初期症状読出手段で読み出された薬剤情報と副作用情報と初期症状情報と前記副作用情報出力手段で出力された副作用情報とに基づいて前記初期症状データベースに記録された薬剤情報及び初期症状情報を検索する初期症状検索手段と、
前記副作用情報出力手段で出力された副作用情報に対する、前記初期症状検索手段で検索された薬剤情報及び初期症状情報を出力する初期症状出力手段と
をさらに含むことを特徴とする服薬指導支援システム。
【請求項２】
副作用情報に対する初期症状情報を追加更新するための追加更新用薬剤情報及び当該薬剤に対する追加更新用副作用情報を入力する追加更新用薬剤副作用情報入力手段と、
前記初期症状読出手段により前記初期症状データベースから薬剤情報と副作用情報と初期症状情報とを読み出すとともに、該初期症状読出手段で読み出された薬剤情報と副作用情報と初期症状情報と前記追加更新用薬剤副作用情報入力手段で入力された薬剤情報及び副作用情報に基づいて前記初期症状データベースに記録された初期症状情報を照会し、当該照会された初期症状データベースの初期症状情報に対して追加更新用初期症状情報を入力する追加更新用初期症状入力手段と、
当該照会された初期症状データベースの初期症状情報に対して前記追加更新用初期症状入力手段で入力された追加更新用初期症状情報を追加更新する初期症状データベース追加更新手段と
をさらに含む請求項１記載の服薬指導支援システム。
【請求項３】
コンピュータを、
患者に対して処方された処方箋の処方内容を入力する処方内容入力手段と、
薬剤情報と当該薬剤の副作用及び重複投与並びに相互作用に関する副作用情報とを含む情報を記録した医薬品データベースの薬剤情報及び当該薬剤の副作用情報を読み出す副作用情報読出手段と、
前記副作用情報読出手段により前記医薬品データベースから薬剤情報及び当該薬剤の副作用情報を読み出すとともに、該副作用情報読出手段で読み出された薬剤情報及び当該薬剤の副作用情報、並びに前記処方内容入力手段で入力された処方内容に基づいて薬剤の副作用及び重複投与並びに相互作用をチェックする副作用情報チェック手段と、
前記処方内容入力手段で入力された処方内容に対する、前記副作用情報チェック手段でチェックされた薬剤の副作用及び重複投与並びに相互作用に関する副作用情報を出力する副作用情報出力手段と
を含む手段として機能させる服薬指導支援プログラムにおいて、
薬剤情報と当該薬剤に対する副作用情報と当該副作用情報に対する初期症状情報とを含む情報を記録した初期症状データベースの薬剤情報と副作用情報と初期症状情報とを読み出す初期症状読出手段と、
前記初期症状読出手段により前記初期症状データベースから薬剤情報と副作用情報と初期症状情報とを読み出すとともに、該初期症状読出手段で読み出された薬剤情報と副作用情報と初期症状情報と前記副作用情報出力手段で出力された副作用情報とに基づいて前記初期症状データベースに記録された薬剤情報及び初期症状情報を検索する初期症状検索手段と、
前記副作用情報出力手段で出力された副作用情報に対する、前記初期症状検索手段で検索された薬剤情報及び初期症状情報を出力する初期症状出力手段と
をさらに含む手段として機能させることを特徴とする服薬指導支援プログラム。
【請求項４】
前記コンピュータを、
副作用情報に対する初期症状情報を追加更新するための追加更新用薬剤情報及び当該薬剤に対する追加更新用副作用情報を入力する追加更新用薬剤副作用情報入力手段と、
前記初期症状読出手段により前記初期症状データベースから薬剤と副作用情報と初期症状情報とを読み出すとともに、該初期症状読出手段で読み出された薬剤と副作用情報と初期症状情報と前記追加更新用薬剤副作用情報入力手段で入力された薬剤及び副作用情報に基づいて前記初期症状データベースに記録された初期症状情報を照会し、当該照会された初期症状データベースの初期症状情報に対して追加更新用初期症状情報を入力する追加更新用初期症状入力手段と、
当該照会された初期症状データベースの初期症状情報に対して前記追加更新用初期症状入力手段で入力された追加更新用初期症状情報を追加更新する初期症状データベース追加更新手段と
をさらに含む手段として機能させる請求項３記載の服薬指導支援プログラム。
【請求項５】
請求項３又は４記載の服薬指導支援プログラムを記録したことを特徴とするコンピュータ読み取り可能な記録媒体。
【発明の詳細な説明】
【０００１】
【発明の属する技術分野】
本発明は、服薬指導支援システム並びに服薬指導支援プログラム及び当該服薬指導支援プログラムを記録したコンピュータ読み取り可能な記録媒体に関する。
【０００２】
【従来の技術】
薬剤は効能を有している反面、通常、副作用も有している。また、複数の薬剤が一時期に患者に投与されたときには、同種の作用を有する複数の薬剤の重複投与による副作用が生じたり、互いに異なる種類の作用を有する複数の薬剤の相互作用による副作用が生じたりすることがある。
【０００３】
従来、医師や薬剤師は、製薬メーカーの発行する薬剤添付文書に記載された情報、例えば、服薬指導書や薬剤情報等の副作用情報に基づいて、患者に対し、処方された薬剤の効能や起こり得る副作用やその対処等について服薬指導を行っている。
【０００４】
このような副作用情報については、従来、患者に対して処方された処方箋の処方内容を入力し、薬剤情報と当該薬剤の副作用及び重複投与並びに相互作用に関する副作用情報とを含む情報を記録した医薬品データベースから読み出された薬剤情報及び当該薬剤の副作用情報、並びに前記入力された処方内容に基づいて薬剤の副作用及び重複投与並びに相互作用をチェックし、前記入力された処方内容に対する、前記チェックされた副作用情報を出力手段（例えばプリンタ等の印刷手段やディスプレイ等の画像表示手段）により表示及び／又は印刷するようなシステム等を採用し、医師や薬剤師が副作用等を判断する際に、副作用情報を印刷したり、表示したりして、閲覧・確認できるようになっている（例えば、特許文献１〜特許文献４参照）。
【０００５】
【特許文献１】
特開平８−６３５１９号公報
【特許文献２】
特開平９−３０７７２２号公報
【特許文献３】
特開２０００−１６３４９８号公報
【特許文献４】
特開２００３−１６１８５号公報
【０００６】
【発明が解決しようとする課題】
しかしながら、従来のシステムでは、副作用情報として患者に示されている内容は、患者にとって難しい表現となっており、またその副作用とされる状況はどのような初期症状が見られるのかが示されておらず、患者にとって、薬の副作用により、病状が悪化しているのか、また薬の服用時に何に気をつけていればよいのか等の判断ができない。
【０００７】
薬剤師等にしても、患者が、例えば、Ｄ錠１ｍｇを服用した場合、患者に対し副作用として「血圧低下」の恐れがあるといった服薬指導が可能であっても、初期症状として「体がだるい、食欲がない・・・」等といった服薬指導までは十分に行われておらず、かかる服薬指導は薬剤師としての経験によるところが大きい。また、従来のシステムにおいても、薬剤を複数服用（処方）する際、相互チェック及び重複チェック等により、重複投与処方のチェック、副作用のチェックが行われるものの、副作用に対する初期症状を記録したものがないのが実情である。
【０００８】
本発明は、前記問題に鑑みてなされたもので、副作用情報に対する初期症状を含めた服薬指導が可能な服薬指導支援システム並びに服薬指導支援プログラム及び当該服薬指導支援プログラムを記録したコンピュータ読み取り可能な記録媒体を提供することを課題とする。
【０００９】
【課題を解決するための手段】
本発明は、前記課題を解決するため、次の服薬指導支援システム並びに服薬指導支援プログラム及び当該服薬指導支援プログラムを記録したコンピュータ読み取り可能な記録媒体を提供する。
【００１０】
（１）服薬指導支援システム
患者に対して処方された処方箋の処方内容を入力する処方内容入力手段と、
薬剤情報と当該薬剤の副作用及び重複投与並びに相互作用に関する副作用情報とを含む情報を記録した医薬品データベースの薬剤情報及び当該薬剤の副作用情報を読み出す副作用情報読出手段と、
前記副作用情報読出手段により前記医薬品データベースから薬剤情報及び当該薬剤の副作用情報を読み出すとともに、該副作用情報読出手段で読み出された薬剤情報及び当該薬剤の副作用情報、並びに前記処方内容入力手段で入力された処方内容に基づいて薬剤の副作用及び重複投与並びに相互作用をチェックする副作用情報チェック手段と、
前記処方内容入力手段で入力された処方内容に対する、前記副作用情報チェック手段でチェックされた薬剤の副作用及び重複投与並びに相互作用に関する副作用情報を出力する副作用情報出力手段と
を含む服薬指導支援システムにおいて、
薬剤情報と当該薬剤に対する副作用情報と当該副作用情報に対する初期症状情報とを含む情報を記録した初期症状データベースの薬剤情報と副作用情報と初期症状情報とを読み出す初期症状読出手段と、
前記初期症状読出手段により前記初期症状データベースから薬剤情報と副作用情報と初期症状情報とを読み出すとともに、該初期症状読出手段で読み出された薬剤情報と副作用情報と初期症状情報と前記副作用情報出力手段で出力された副作用情報とに基づいて前記初期症状データベースに記録された薬剤情報及び初期症状情報を検索する初期症状検索手段と、
前記副作用情報出力手段で出力された副作用情報に対する、前記初期症状検索手段で検索された薬剤情報及び初期症状情報を出力する初期症状出力手段と
をさらに含むことを特徴とする服薬指導支援システム。
【００１１】
（２）服薬指導支援プログラム
コンピュータを、
患者に対して処方された処方箋の処方内容を入力する処方内容入力手段と、
薬剤情報と当該薬剤の副作用及び重複投与並びに相互作用に関する副作用情報とを含む情報を記録した医薬品データベースの薬剤情報及び当該薬剤の副作用情報を読み出す副作用情報読出手段と、
前記副作用情報読出手段により前記医薬品データベースから薬剤情報及び当該薬剤の副作用情報を読み出すとともに、該副作用情報読出手段で読み出された薬剤情報及び当該薬剤の副作用情報、並びに前記処方内容入力手段で入力された処方内容に基づいて薬剤の副作用及び重複投与並びに相互作用をチェックする副作用情報チェック手段と、
前記処方内容入力手段で入力された処方内容に対する、前記副作用情報チェック手段でチェックされた薬剤の副作用及び重複投与並びに相互作用に関する副作用情報を出力する副作用情報出力手段と
を含む手段として機能させる服薬指導支援プログラムにおいて、
薬剤情報と当該薬剤に対する副作用情報と当該副作用情報に対する初期症状情報とを含む情報を記録した初期症状データベースの薬剤情報と副作用情報と初期症状情報とを読み出す初期症状読出手段と、
前記初期症状読出手段により前記初期症状データベースから薬剤情報と副作用情報と初期症状情報とを読み出すとともに、該初期症状読出手段で読み出された薬剤情報と副作用情報と初期症状情報と前記副作用情報出力手段で出力された副作用情報とに基づいて前記初期症状データベースに記録された薬剤情報及び初期症状情報を検索する初期症状検索手段と、
前記副作用情報出力手段で出力された副作用情報に対する、前記初期症状検索手段で検索された薬剤情報及び初期症状情報を出力する初期症状出力手段と
をさらに含む手段として機能させることを特徴とする服薬指導支援プログラム。
【００１２】
（３）コンピュータ読み取り可能な記録媒体
前記本発明に係る服薬指導支援プログラムを記録したことを特徴とするコンピュータ読み取り可能な記録媒体。
【００１３】
本発明に係る服薬指導支援システム並びに服薬指導支援プログラム及び記録媒体によると、前記初期症状検索手段にて、前記初期症状読出手段で読み出された薬剤情報と副作用情報と初期症状情報と前記副作用情報出力手段で出力された副作用情報とに基づいて前記初期症状データベースに記録された薬剤情報及び初期症状情報を検索し、前記初期症状出力手段にて、前記副作用情報出力手段で出力された副作用情報に対する、前記初期症状検索手段で検索された薬剤情報及び初期症状情報を出力するので、副作用情報に対する初期症状を含めた服薬指導が可能である。
【００１４】
本発明に係る服薬指導支援システムにおいて、副作用情報に対する初期症状情報を追加更新するための追加更新用薬剤情報及び当該薬剤に対する追加更新用副作用情報を入力する追加更新用薬剤副作用情報入力手段と、前記初期症状読出手段により前記初期症状データベースから薬剤情報と副作用情報と初期症状情報とを読み出すとともに、該初期症状読出手段で読み出された薬剤情報と副作用情報と初期症状情報と前記追加更新用薬剤副作用情報入力手段で入力された薬剤情報及び副作用情報に基づいて前記初期症状データベースに記録された初期症状情報を照会し、当該照会された初期症状データベースの初期症状情報に対して追加更新用初期症状情報を入力する追加更新用初期症状入力手段と、当該照会された初期症状データベースの初期症状情報に対して前記追加更新用初期症状入力手段で入力された追加更新用初期症状情報を追加更新する初期症状データベース追加更新手段とをさらに含んでいてもよい。
【００１５】
また、本発明に係る服薬指導支援プログラムにおいて、前記コンピュータを、副作用情報に対する初期症状情報を追加更新するための追加更新用薬剤情報及び当該薬剤に対する追加更新用副作用情報を入力する追加更新用薬剤副作用情報入力手段と、前記初期症状読出手段により前記初期症状データベースから薬剤と副作用情報と初期症状情報とを読み出すとともに、該初期症状読出手段で読み出された薬剤と副作用情報と初期症状情報と前記追加更新用薬剤副作用情報入力手段で入力された薬剤及び副作用情報に基づいて前記初期症状データベースに記録された初期症状情報を照会し、当該照会された初期症状データベースの初期症状情報に対して追加更新用初期症状情報を入力する追加更新用初期症状入力手段と、当該照会された初期症状データベースの初期症状情報に対して前記追加更新用初期症状入力手段で入力された追加更新用初期症状情報を追加更新する初期症状データベース追加更新手段とをさらに含む手段として機能させてもよい。
【００１６】
いずれにしても、副作用情報に対する初期症状に関する初期症状情報を検索するための検索用副作用情報を入力する検索用副作用情報入力手段をさらに含み、前記初期症状読出手段にて、前記初期症状データベースの薬剤情報と副作用情報と初期症状情報とを読み出し、前記初期症状検索手段にて、前記初期症状読出手段により前記初期症状データベースから薬剤情報と副作用情報と初期症状情報とを読み出すとともに、該初期症状読出手段で読み出された薬剤情報と副作用情報と初期症状情報と前記検索用副作用情報入力手段で入力された検索用副作用情報とに基づいて前記初期症状データベースに記録された薬剤情報及び初期症状情報を検索し、前記初期症状出力手段にて、前記検索用副作用情報入力手段で入力された検索用副作用情報に対する、前記初期症状検索手段で検索された薬剤情報及び初期症状情報を出力するようにしてもよい。
【００１７】
【発明の実施の形態】
以下、図面に基づき本発明の実施の形態について説明する。
【００１８】
図１は本発明に係る服薬指導支援プログラムの一例Ｐを備える本発明に係る服薬指導支援システムの一例であるコンピュータＡの構成例を示すものである。
【００１９】
このコンピュータＡは、図１に示すように、中央処理装置１、メインメモリ２、ファイル装置３、入力装置４及び出力装置５を備えている。入力装置４は、前記服薬指導支援プログラムＰを記録したコンピュータ読み取り可能な記録媒体６からのプログラム情報を読み出すことができる読出部４１と、マウスやキーボード等の入力部４２とを備えている。ファイル装置３は、前記記録媒体６から読み出されたプログラム情報を記録することができるとともに、かかる服薬指導支援プログラムＰに利用され得る医薬品データベースＭ及び初期症状データベースＬを保存することができるとともに、データベースＭ，Ｌに対しデータを読み出し、書き込みすることができる。メインメモリ２は、ファイル装置３に記録されたプログラム情報を読込むことができ、プログラム作業領域を有している。出力装置５は、ここではディスプレイ等の画像表示装置５１及びプリンタ等の印刷装置５２を備えており、服薬指導支援プログラムＰにより処理された情報を表示及び／又は印刷することができる。また、中央処理装置１は、メインメモリ２に読み込まれた服薬指導支援プログラムＰに基づいて服薬指導支援システム全体を制御することができる。
【００２０】
医薬品データベースＭは、薬剤情報と当該薬剤の副作用及び重複投与並びに相互作用に関する副作用情報とを含む情報を記録したものであり、初期症状データベースＬは、薬剤情報と当該薬剤に対する副作用情報と当該副作用情報に対する初期症状情報とを含む情報を記録したものである。
【００２１】
図１０（Ａ）に医薬品データベースＭのデータ構造を示し、図１０（Ｂ）に初期症状データベースＬのデータ構造を示す。医薬品データベースＭには、図１０（Ａ）に示すように、医薬品名、成分、効能等の薬剤情報及び当該薬剤の副作用情報等が記録されている。初期症状データベースＬには、図１０（Ｂ）に示すように、医薬品名等の薬剤情報及び当該薬剤の副作用情報、並びに当該副作用に対する初期症状等の初期症状情報等が記録されている。なお、初期症状情報には症状の程度に応じて症状が重い程、大きな値としてランク付けされたデータを含んでいる。
【００２２】
服薬指導支援プログラムＰでは、次の（ａ）〜（ｃ）の処理のうちユーザーによって選択された処理が実行される。
（ａ）副作用情報チェック処理
（ｂ）初期症状検索処理
（ｃ）初期症状データベース追加更新処理
【００２３】
図２に服薬指導支援プログラムＰの各処理においてコンピュータＡを機能させる各手段の概略ブロック図を示す。
【００２４】
前記（ａ）の副作用情報チェック処理では、コンピュータＡを、処方内容入力手段Ｐ１、副作用情報読出手段Ｐ２、副作用情報チェック手段Ｐ３、副作用情報出力手段Ｐ４、初期症状読出手段Ｐ５、初期症状検索手段Ｐ６、初期症状出力手段Ｐ７として機能させる。
【００２５】
処方内容入力手段Ｐ１では、患者に対して処方された処方箋の処方内容を入力装置４におけるマウスやキーボード等の入力部４２により入力する。
【００２６】
副作用情報読出手段Ｐ２では、ファイル装置３に保存されている前記の医薬品データベースＭの薬剤情報及び当該薬剤の副作用情報を読み出す。
【００２７】
副作用情報チェック手段Ｐ３では、副作用情報読出手段Ｐ２により医薬品データベースＭから薬剤情報及び当該薬剤の副作用情報を読み出すとともに、該副作用情報読出手段Ｐ２で読み出された薬剤情報及び当該薬剤の副作用情報、並びに処方内容入力手段Ｐ１で入力された処方内容に基づいて薬剤の副作用及び重複投与並びに相互作用をチェックする。
【００２８】
副作用情報出力手段Ｐ４では、処方内容入力手段Ｐ１で入力された処方内容に対する、副作用情報チェック手段Ｐ３でチェックされた薬剤の副作用及び重複投与並びに相互作用に関する副作用情報を出力装置５におけるディスプレイ等の画像表示装置５１やプリンタ等の印刷装置５２に出力する。
【００２９】
初期症状読出手段Ｐ５では、ファイル装置３に保存されている前記の初期症状データベースＬの薬剤情報と副作用情報と初期症状情報とを読み出す。
【００３０】
初期症状検索手段Ｐ６では、初期症状読出手段Ｐ５により初期症状データベースＬから薬剤情報と副作用情報と初期症状情報とを読み出すとともに、該初期症状読出手段Ｐ５で読み出された薬剤情報と副作用情報と初期症状情報と副作用情報出力手段Ｐ４で出力された副作用情報とに基づいて初期症状データベースＬに記録された薬剤情報及び初期症状情報を検索する。
【００３１】
初期症状出力手段Ｐ７では、副作用情報出力手段Ｐ４で出力された副作用情報に対する、初期症状検索手段Ｐ６で検索された薬剤情報及び初期症状情報を出力装置５におけるディスプレイ等の画像表示装置５１やプリンタ等の印刷装置５２に出力する。
【００３２】
前記（ｂ）の初期症状検索処理では、コンピュータＡを、検索用副作用情報入力手段Ｐ８をさらに含む手段として機能させる。
【００３３】
検索用副作用情報入力手段Ｐ８では、副作用情報に対する初期症状に関する初期症状情報を検索するための検索用副作用情報を入力装置４におけるマウスやキーボード等の入力部４２により入力する。
【００３４】
前記（ｃ）の初期症状データベース追加更新処理では、コンピュータＡを、追加更新用薬剤副作用情報入力手段Ｐ９、追加更新用初期症状入力手段Ｐ１０、初期症状データベース追加更新手段Ｐ１１をさらに含む手段として機能させる。
【００３５】
追加更新用薬剤副作用情報入力手段Ｐ９では、副作用情報に対する初期症状情報を追加更新するための追加更新用薬剤情報及び当該薬剤に対する追加更新用副作用情報を入力装置４におけるマウスやキーボード等の入力部４２により入力する。
【００３６】
追加更新用初期症状入力手段Ｐ１０では、初期症状読出手段Ｐ５により初期症状データベースＬから薬剤情報と副作用情報と初期症状情報とを読み出すとともに、該初期症状読出手段Ｐ５で読み出された薬剤情報と副作用情報と初期症状情報と追加更新用薬剤副作用情報入力手段Ｐ９で入力された薬剤情報及び副作用情報に基づいて初期症状データベースＬに記録された初期症状情報を照会し、当該照会された初期症状データベースＬの初期症状情報に対して追加更新用初期症状情報を入力する。
【００３７】
初期症状データベース追加更新手段Ｐ１１では、当該照会された初期症状データベースＬの初期症状情報に対して追加更新用初期症状入力手段Ｐ１０で入力された追加更新用初期症状情報を追加更新する。
【００３８】
前記の（ａ）〜（ｃ）の各処理の実行は、後述するサブルーチン処理によりなされる。
【００３９】
図３から図９はコンピュータＡにて服薬指導支援プログラムＰを実行する場合におけるディスプレイ５１上の表示状態（図３から図６）示した図及び各処理ルーチンの一例の流れを示すフローチャート（図７から図９）である。
【００４０】
以下、図３から図９を参照しつつ、本実施形態にかかる服薬指導支援プログラムＰについて説明する。
【００４１】
まず、服薬指導支援プログラムＰを起動させると、ディスプレイ５１上には、複数のメニューを選択可能なメニュー等を備えたメニューウィンドＷ１が表示される（図３参照）。このメニューウィンドＷ１では、「副作用情報チェックａ」、「初期症状検索ｂ」、「初期症状データベース追加更新ｃ」を選択することができ、「終了ｄ」を選択するとプログラムが終了する。
【００４２】
ここで、“ウィンドウ”とは、コンピュータＡの操作画面（ディスプレイ５１）内に、独立して表示される所定領域を有する矩形状の表示領域である。
【００４３】
前記メニューウィンドＷ１の選択メニューのうち「副作用情報チェックａ」がマウス操作によるポインタでクリックされると、図４に示すように、副作用情報チェックウィンドウＷ２が開く。
（ａ）副作用情報チェック処理
図７に副作用情報チェック処理ルーチンの一例のフローチャートを示す。以下、図４に示す副作用情報チェックウィンドウＷ２及び図７に示すフローチャートを参照しながら副作用情報チェック処理の動作を説明する。
【００４４】
図４に示す副作用情報チェックウィンドウＷ２において、処方内容入力手段Ｐ１にて、「処方箋処方内容入力枠ａ１」に処方内容が入力され（ステップＳ１０１）、「副作用情報チェック開始ボタンａ３」がクリックされることで、副作用情報チェック手段Ｐ３にて、副作用情報読出手段Ｐ２により医薬品データベースＭから薬剤情報及び当該薬剤の副作用情報が読み出されるとともに（ステップＳ１０２）、該読出手段Ｐ２で読み出された薬剤情報及び当該薬剤の副作用情報、並びに入力手段Ｐ１で入力された処方内容に基づいて、薬剤の副作用及び重複投与並びに相互作用がチェックされ（ステップＳ１０３）、副作用情報出力手段Ｐ４にて、入力手段Ｐ１で入力された処方内容に対する、チェック手段Ｐ３でチェックされた副作用情報が「副作用情報表示枠ａ２」に表示され（ステップＳ１０４）、さらに初期症状検索手段Ｐ６にて、初期症状読出手段Ｐ５により初期症状データベースＬから薬剤情報と副作用情報と初期症状情報とが読み出されるとともに（ステップＳ１０５）、該読出手段Ｐ５で読み出された薬剤情報と副作用情報と初期症状情報と出力手段Ｐ４で出力された副作用情報とに基づいて、薬剤情報及び初期症状情報が検索される（ステップＳ１０６）。そして、初期症状出力手段Ｐ７にて、出力手段Ｐ４で出力された副作用情報に対する、検索手段Ｐ６で検索された薬剤情報及び初期症状情報がそれぞれ「薬剤情報表示枠ａ２”」及び「初期症状表示枠ａ２’」に表示される（ステップＳ１０７）。このとき「印刷ボタンａ４」がクリックされると、処方内容に対する副作用情報、並びに、副作用情報に対する薬剤情報及び初期症状情報がプリンタ５２にて印刷される。図１１に副作用情報に対する薬剤情報及び初期症状情報の出力例を示す。そのあと次の入力動作によりステップＳ１０１に戻る（ステップＳ１０８，Ｓ１０９）。このとき「閉じるボタンａ５」がクリックされると（ステップＳ１０９）、この副作用情報チェックウィンドウＷ２が閉じる（ステップＳ１１０）。
【００４５】
図３に示すメニューウィンドＷ１の選択メニューのうち「初期症状検索ｂ」がクリックされると、図５に示すように、初期症状検索ウィンドウＷ３が開く。
（ｂ）初期症状検索処理
図８に初期症状検索処理ルーチンの一例のフローチャートを示す。以下、図５に示す初期症状検索ウィンドウＷ３及び図８に示すフローチャートを参照しながら初期症状検索処理の動作を説明する。
【００４６】
図５に示す初期症状検索ウィンドウＷ３において、検索用副作用情報入力手段Ｐ８にて、「検索用副作用情報入力枠ｂ１」に検索用副作用情報が入力され（ステップＳ２０１）、「初期症状検索開始ボタンｂ３」がクリックされることで、初期症状検索手段Ｐ６にて、初期症状読出手段Ｐ５により初期症状データベースＬから薬剤情報と副作用情報と初期症状情報とが読み出されるとともに（ステップＳ２０２）、該読出手段Ｐ５で読み出された薬剤情報と副作用情報と初期症状情報と入力手段Ｐ８で入力された検索用副作用情報に基づいて、薬剤情報及び初期症状情報が検索される（ステップＳ２０３）。そして、初期症状出力手段Ｐ７にて、入力手段Ｐ８で入力された検索用副作用情報に対する、検索手段Ｐ６で検索された薬剤情報及び初期症状情報がそれぞれ「薬剤情報表示枠ｂ２’」及び「初期症状表示枠ｂ２」に表示される（ステップＳ２０４）。このとき「印刷ボタンｂ４」がクリックされると、副作用情報に対する薬剤情報及び初期症状情報がプリンタ５２にて印刷される（ステップＳ２０４）。そのあと次の入力動作によりステップＳ２０１に戻る（ステップＳ２０５，Ｓ２０６）。このとき「閉じるボタンｂ５」がクリックされると（ステップＳ２０６）、この初期症状検索ウィンドウＷ３が閉じる（ステップＳ２０７）。
【００４７】
図３に示すメニューウィンドＷ１の選択メニューのうち「初期症状データベース追加更新ｃ」がクリックされると、図６に示すように、初期症状データベース追加更新ウィンドウＷ４が開く。
【００４８】
（ｃ）初期症状データベース追加更新処理
図９に初期症状データベース追加更新処理ルーチンの一例のフローチャートを示す。以下、図６に示す初期症状データベース追加更新ウィンドウＷ４及び図９に示すフローチャートを参照しながら初期症状データベース追加更新処理の動作を説明する。
【００４９】
図６に示す初期症状データベース追加更新ウィンドウＷ４において、追加更新用薬剤副作用入力手段Ｐ９にて、「薬剤情報入力枠ｃ１」に薬剤情報が、また「副作用情報入力枠ｃ１’」に薬剤情報が入力され（ステップＳ３０１）、「照会ボタンｃ３」がクリックされることで、読出手段Ｐ５により初期症状データベースＬから薬剤情報と副作用情報と初期症状情報とが読み出されるとともに、該読出手段Ｐ５で読み出された薬剤情報と副作用情報と初期症状情報と入力手段Ｐ９で入力された薬剤情報及び副作用情報に基づいて初期症状データベースＬに記録された初期症状情報が照会され（ステップＳ３０２）、入力手段Ｐ９で入力された副作用情報が初期症状データベースＬに有るときは（ステップＳ３０３）、当該照会された初期症状データベースＬの初期症状情報が「初期症状表示入力枠ｃ２」に表示され（ステップＳ３０４）、追加更新用初期症状入力手段Ｐ１０にて、「表示入力枠ｃ２」の初期症状情報に対し更新用初期症状情報が入力され（ステップＳ３０５）、「追加更新ボタンｃ４」がクリックされることで、当該照会された初期症状データベースＬの初期症状情報が入力手段Ｐ１０で入力された更新用初期症状情報に更新される（ステップＳ３０６）。一方、入力手段Ｐ９で入力された副作用情報が初期症状データベースＬに無いときは（ステップＳ３０３）、「表示入力枠ｃ２」には何も表示されず、入力手段Ｐ１０にて、「表示入力枠ｃ２」に追加用初期症状情報が入力され（ステップＳ３０７）、「追加更新ボタンｃ４」がクリックされることで、当該初期症状データベースＬに入力手段Ｐ１０で入力された追加用初期症状情報が追加される（ステップＳ３０８）。そのあと次の入力動作によりステップＳ３０１に戻る（ステップＳ３０９，Ｓ３１０）。このとき「閉じるボタンｃ５」がクリックされると（ステップＳ３１０）、この初期症状データベース追加更新ウィンドウＷ４が閉じる（ステップＳ３１１）。
【００５０】
以上説明した服薬指導支援システムＡ並びに服薬指導支援プログラムＰ及び記録媒体６によると、初期症状検索手段Ｐ６にて、初期症状読出手段Ｐ５で読み出された薬剤情報と副作用情報と初期症状情報と出力手段Ｐ４で出力された副作用情報とに基づいて初期症状データベースＬに記録された薬剤情報及び初期症状情報を検索し、初期症状出力手段Ｐ７にて、出力手段Ｐ４で出力された副作用情報に対する、検索手段Ｐ６で検索された薬剤情報及び初期症状情報を出力するので、副作用情報に対する初期症状を含めた服薬指導が可能である。
【００５１】
【発明の効果】
以上説明したように本発明によると、副作用情報に対する初期症状を含めた服薬指導が可能な服薬指導支援システム並びに服薬指導支援プログラム及び当該服薬指導支援プログラムを記録したコンピュータ読み取り可能な記録媒体を提供することができる。
【図面の簡単な説明】
【図１】本発明に係る服薬指導支援プログラムの一例を備える本発明に係る服薬指導支援システムの一例であるコンピュータの構成例を示すものである。
【図２】服薬指導支援プログラムの各処理においてコンピュータを機能させる各手段の概略ブロック図である。
【図３】ディスプレイ上の表示状態を示す図であり、複数のメニューを選択可能なメニュー等を備えたメニューウィンドを示すものである。
【図４】ディスプレイ上の表示状態を示す図であり、副作用情報チェックウィンドウを示すものである。
【図５】ディスプレイ上の表示状態を示す図であり、初期症状検索ウィンドウを示すものである。
【図６】ディスプレイ上の表示状態を示す図であり、初期症状データベース追加更新ウィンドウを示すものである。
【図７】副作用情報チェック処理ルーチンの一例のフローチャートを示すものである。
【図８】初期症状検索処理ルーチンの一例のフローチャートを示すものである。
【図９】初期症状データベース追加更新処理ルーチンの一例のフローチャートを示すものである。
【図１０】図（Ａ）は医薬品データベースのデータ構造を示す概略図であり、図（Ｂ）は初期症状データベースのデータ構造を示す概略図である。
【図１１】副作用情報に対する薬剤情報及び初期症状情報の出力例を示す図である。
【符号の説明】
Ａ…服薬指導支援システム  Ｐ…服薬指導支援システム  ６…記録媒体
Ｐ１…処方内容入力手段  Ｐ２…副作用情報読出手段
Ｐ３…副作用情報チェック手段  Ｐ４…副作用情報出力手段
Ｐ５…初期症状読出手段  Ｐ６…初期症状検索手段
Ｐ７…初期症状出力手段  Ｐ８…検索用副作用情報入力手段
Ｐ９…追加更新用薬剤副作用情報入力手段
Ｐ１０…追加更新用初期症状入力手段
Ｐ１１…初期症状データベース追加更新手段
【図１】
2004290377.tif 000003
【図２】
2004290377.tif 000004
【図３】
2004290377.tif 000005
【図４】
2004290377.tif 000006
【図５】
2004290377.tif 000007
【図６】
2004290377.tif 000008
【図７】
2004290377.tif 000009
【図８】
2004290377.tif 000010
【図９】
2004290377.tif 000011
【図１０】
2004290377.tif 000012
【図１１】
2004290377.tif 000013